(57)【要約】      （修正有）【課題】省資源化を図りながらも、無垢感を向上し得る板状建材を提供する。【解決手段】板状建材１は、基材４に複数の単板６，８を積層し、その表面１０側に、最裏層の単板６に達する溝５を設けた構成とされており、裏層側の単板６を表層側の単板８よりも濃色としている。また、複数の単板６，８はそれぞれ異なる樹種にしている。【選択図】図１
2015150735.tif 000002
【特許請求の範囲】
【請求項１】
基材に複数の単板を積層し、その表面側に、最裏層の単板に達する溝を設けた構成とされており、
裏層側の単板を表層側の単板よりも濃色としていることを特徴とする板状建材。
【請求項２】
請求項１において、
前記複数の単板を、それぞれ異なる樹種としたことを特徴とする板状建材。
【請求項３】
請求項１または２において、
前記溝を、表層側の単板が露出する部位の両溝側壁のなす角よりも、裏層側の単板が露出する部位の両溝側壁のなす角が小さくなるように設けていることを特徴とする板状建材。
【請求項４】
基材に複数の単板を積層し、その表面側に、最裏層の単板に達する溝を設けた構成とされており、
前記溝を、表層側の単板が露出する部位の両溝側壁のなす角よりも、裏層側の単板が露出する部位の両溝側壁のなす角が小さくなるように設けていることを特徴とする板状建材。
【請求項５】
請求項１乃至４のいずれか１項において、
前記裏層側の単板の厚さ寸法を、前記表層側の単板の厚さ寸法よりも大きい寸法としていることを特徴とする板状建材。
【発明の詳細な説明】
【技術分野】
【０００１】
本発明は、基材に単板を積層した板状建材に関する。
【背景技術】
【０００２】
従来より、床材や壁材、天井材等の内装材や、家具材等を構成する板状材としては、省資源化を図る観点等から、合板等の基材に、天然銘木を薄くスライスした突板などの化粧単板を積層したものが知られている。このような板状材の表面には、見栄え上の観点等から溝が設けられるが、薄い単板を適用すれば基材が露出し易くなり、厚い単板を適用することも考えられるが厚い単板は安定的に確保し難いという問題があった。
例えば、下記特許文献１では、銘木を薄削した薄単板と基材との間に、薄単板と同系色に染色した染色単板を介在させ、薄単板の上面から染色単板に達するＶ溝を設けた化粧板が提案されている。
【先行技術文献】
【特許文献】
【０００３】
【特許文献１】実開平６−１６００４号公報
【発明の概要】
【発明が解決しようとする課題】
【０００４】
上記特許文献１に記載された化粧板によれば、薄単板と染色単板とが一体となって見え、あたかも厚い無垢材を切削加工した化粧板のような見掛けを表現できるものであったが、Ｖ溝の溝底が目立ち易くなることが考えられ、更なる改善が望まれる。
【０００５】
本発明は、上記実情に鑑みてなされたものであり、省資源化を図りながらも、無垢感を向上し得る板状建材を提供することを目的としている。
【課題を解決するための手段】
【０００６】
前記目的を達成するために、本発明に係る板状建材は、基材に複数の単板を積層し、その表面側に、最裏層の単板に達する溝を設けた構成とされており、裏層側の単板を表層側の単板よりも濃色としていることを特徴とする。
【０００７】
本発明においては、前記複数の単板を、それぞれ異なる樹種としてもよい。
また、本発明においては、前記溝を、表層側の単板が露出する部位の両溝側壁のなす角よりも、裏層側の単板が露出する部位の両溝側壁のなす角が小さくなるように設けてもよい。
【０００８】
また、前記目的を達成するために、本発明に係る板状建材は、基材に複数の単板を積層し、その表面側に、最裏層の単板に達する溝を設けた構成とされており、前記溝を、表層側の単板が露出する部位の両溝側壁のなす角よりも、裏層側の単板が露出する部位の両溝側壁のなす角が小さくなるように設けていることを特徴とする。
【０００９】
また、本発明においては、前記裏層側の単板の厚さ寸法を、前記表層側の単板の厚さ寸法よりも大きい寸法としてもよい。
【発明の効果】
【００１０】
本発明に係る板状建材は、上述のような構成としたことで、省資源化を図りながらも、無垢感を向上させることができる。
【図面の簡単な説明】
【００１１】
【図１】（ａ）、（ｂ）は、本発明の一実施形態に係る板状建材の一例を模式的に示し、（ａ）は、（ｂ）におけるＸ−Ｘ線矢視に対応させた一部破断概略縦断面図、（ｂ）は、同板状建材を模式的に示す概略平面図である。
【発明を実施するための形態】
【００１２】
以下に本発明の実施の形態について、図面に基づいて説明する。
図１は、本実施形態に係る板状建材の一例を模式的に示す図である。
本実施形態に係る板状建材１は、図１（ｂ）に示すように、厚さ方向に見て一方向に長尺状の略矩形平板状とされている。
本実施形態では、この板状建材１を、床材として用いられるものとしている。この板状建材１の長さ寸法や幅寸法、厚さ寸法等は、一般的な床材の各寸法と概ね同寸法としてもよく、例えば、厚さ方向に見て、１尺（３０３ｍｍ）×６尺（１８１８ｍｍ）程度の長尺板状体としてもよい。
【００１３】
また、本実施形態では、板状建材１の長手方向一方側端部及び幅方向一方側端部に、雄実部２，２をそれぞれに設け、長手方向他方側端部及び幅方向他方側端部に、雌実部３，３をそれぞれに設けている。なお、板状建材１の四周の表面側縁部に、面取り部を設けるようにしてもよい。また、このような面取り部の形状を、後記する溝５に対応させた形状としてもよい。つまり、面取り部を、複数の板状建材１同士が接合された際に、各板状建材１に形成された面取り部によって、隣接する板状建材１同士の表面側継目部に溝５と略同寸同形状の目地溝が形成されるような形状としてもよい。なお、これら実部２，３及び面取り部のうちのいずれかまたは全部を設けないようにしてもよい。
【００１４】
また、板状建材１は、基材４に複数の単板６，８を積層した構成とされている。本実施形態では、基材４に、裏層側（下層側）の単板６と表層側（上層側）の単板８とからなる二層の単板６，８を積層した構成としている。
これら基材４及び複数の単板６，８は、接着剤等で積層接着されたものでもよく、また、接着剤等を介して積層した後、熱プレス機等で加熱圧締して乾燥硬化されたものでもよい。また、積層した後に、実部２，３や面取り部、後記する溝５等が切削等によって加工されたものとしてもよい。
【００１５】
基材４は、合板やＬＶＬ（単板積層材）等の木質積層板、パーティクルボード等の木質ボード、インシュレーションボードやＭＤＦ（中密度繊維板）等の木質繊維板などの木質系材料から形成されたものとしてもよい。また、基材４は、合成樹脂系材料に、木粉や無機フィラー、相溶化剤、着色剤などを所定の含有割合で含有させた木粉・プラスチック複合材（ＷＰＣ）から形成されたものとしてもよい。また、基材４は、これら種々の材料からなる板材を積層した複層構造とされたものとしてもよい。また、上記のような木質系材料から形成されたものに限られず、合成樹脂系材料や金属系材料等から形成されたものとしてもよい。
【００１６】
複数の単板６，８は、図１（ａ）に示すように、薄板状とされている。
これら単板６，８は、天然銘木等をスライスしたいわゆる突板等の化粧単板としてもよく、また、一般的な突板よりも厚い単板としてもよい。また、これら複数の単板６，８は、複数の角柱状木材（フリッチ）を突き合わせて集成接着された集成材をスライスして形成されたものでもよい。
【００１７】
また、裏層側の単板６は、表層側の単板８よりも濃色とされている。
また、本実施形態では、これら複数の単板６、８を、それぞれ異なる樹種としている。つまり、本実施形態では、裏層側の単板６を、表層側の単板８よりも色調が濃色な樹種としている。
裏層側の単板６の樹種としては、種々の樹種を採用してもよく、例えば、ブナ、カバ、ビーチ、チェリー、ウォールナット、チーク、マホガニー等の比較的色調が濃色な樹種としてもよい。また、表層側の単板８の樹種としては、裏層側の単板６とは異なる樹種で、裏層側の単板６よりも色調の薄い（淡色な）樹種であればよく、例えば、オーク、メープル、カバ、ナラ、スギ、ホワイトアッシュ等としてもよく、種々の樹種を採用してもよい。
【００１８】
また、各単板６，８の厚さ寸法Ｔ１，Ｔ２は、スライス加工性やコスト性、意匠性、外観劣化の抑制等の観点から、適宜、設定するようにしてもよい。例えば、各単板６，８の厚さ寸法Ｔ１，Ｔ２を、０．２ｍｍ〜２．０ｍｍ程度、好ましくは、０．２ｍｍ〜１．０ｍｍ程度としてもよい。
本実施形態では、裏層側の単板６の厚さ寸法Ｔ１を、表層側の単板８の厚さ寸法Ｔ２よりも大きい寸法としている。
この裏層側の単板６の厚さ寸法Ｔ１を、例えば、０．４ｍｍ〜１．０ｍｍ程度、好ましくは、０．６ｍｍ〜０．８ｍｍ程度としてもよい。また、表層側の単板８の厚さ寸法Ｔ２を、例えば、０．２ｍｍ〜０．８ｍｍ程度、好ましくは、０．４ｍｍ〜０．６ｍｍ程度としてもよい。
【００１９】
また、板状建材１は、図１（ａ）に示すように、表面１０側に、最裏層の単板（最基材側の単板、最下層の単板）としての裏層側の単板６に達する溝５を設けた構成とされている。図例では、板状建材１の表面１０に、縦横に複数本の溝５を設けた例を示している。また、板状建材１を、小割木材を乱張り状に突き合わせたような外観を呈するものとした例を示している。なお、このような態様に代えて、板状建材１の長手方向に長手方向を沿わせた溝（縦溝）５のみを設けた態様等としてもよい。
この溝５の両溝側壁は、上述のように、裏層側の単板６を表層側の単板８よりも濃色としているので、表層側の単板８が露出する部位としての溝開口側部位の両溝側壁９，９よりも、裏層側の単板６が露出する部位としての溝底側部位の両溝側壁７，７が濃色となる。
また、本実施形態では、溝５を、基材４の層内には達しないように設けた態様としている。図例では、溝５を、積層された二層の単板６，８の厚さ方向の概ね全体に亘り、基材４の表面間際にまで達するように設けた例を示している。なお、このような態様に代えて、溝５を、その一部が僅かに基材４に達するように設けた態様としてもよい。
【００２０】
また、この溝５を、表層側の単板８の厚さ寸法Ｔ２に相当する表層側の単板８に形成された部位の溝深さよりも、裏層側の単板６に形成された部位の溝深さが大きくなるように形成するようにしてもよい。換言すれば、この溝５の溝深さに応じて、上記した各単板６，８の厚さ寸法Ｔ１，Ｔ２を適宜、設定するようにしてもよい。
また、この溝５の溝深さは、溝５を長手方向に見た形状や、意匠性、手触り感等の観点から、適宜、設定するようにしてもよい。本実施形態では、この溝５の溝深さを、溝５の溝幅（溝５の両溝開口縁間の寸法）よりも小さい寸法としている。
【００２１】
また、溝５は、溝長手方向に見て、溝底に向かうに従い先細り状とされている。
本実施形態では、溝５を、溝開口側部位の両溝側壁９，９のなす角θ２よりも、溝底側部位の両溝側壁７，７のなす角θ１が小さくなるように設けている。つまり、本実施形態では、当該板状建材１の表面１０に対して互いに異なる傾斜角度とされた溝開口側部位の両溝側壁９，９と溝底側部位の両溝側壁７，７との稜線が、溝５の両溝側壁において露出する二層の単板６，８の境界に位置することとなる。
本実施形態では、溝底側部位の両溝側壁７，７を、平坦面状とし、これらによって区画される溝５の溝底側部位を、溝長手方向に見て、略Ｖ字溝形状としている。
この溝底側部位の両溝側壁７，７のなす角θ１は、意匠性や加工性の観点等から、適宜、設定するようにしてもよく、一般的なＶ字溝よりも鋭角となるように設定するようにしてもよい。例えば、この溝底側部位の両溝側壁７，７のなす角θ１を、１０°〜９０°程度としてもよく、好ましくは、３０°〜７０°程度としてもよく、図例では、５０°程度とした例を示している。
【００２２】
また、本実施形態では、溝開口側部位の両溝側壁９，９を、凸湾曲面形状としている。このように凸湾曲面形状とした場合には、溝開口側部位の両溝側壁９，９の接線同士のなす角θ２を、溝開口側部位の両溝側壁９，９のなす角θ２とすればよい。図例では、溝長手方向に見て、溝開口側部位の両溝側壁９，９の溝底側端となる二層の単板６，８の境界と溝開口側部位の両溝側壁９，９の溝開口縁とを通る直線に平行な溝開口側部位の両溝側壁９，９の接線同士のなす角θ２を便宜的に示している。
この溝開口側部位の両溝側壁９，９のなす角θ２は、意匠性や加工性の観点等から、適宜、設定するようにしてもよく、一般的なＶ字溝よりも大きい角度となるように設定するようにしてもよい。例えば、この溝開口側部位の両溝側壁９，９のなす角θ２を、８０°〜１６０°程度としてもよく、好ましくは、１００°〜１４０°程度としてもよく、図例では、１２０°程度とした例を示している。
【００２３】
なお、溝底側部位の両溝側壁７，７を平坦面状とした態様に代えて、凸湾曲面形状としてもよい。また、溝開口側部位の両溝側壁９，９を凸湾曲面形状とした態様に代えて、平坦面状としてもよい。
また、図例では、溝開口側部位の両溝側壁９，９の溝開口縁の溝幅方向両外方側部位に、表面１０に対して緩やかな傾斜面を設けた例を示しているが、このような傾斜面を設けないようにしてもよい。
また、板状建材１の表面１０に、溝５の両溝側壁や面取り部等を含み、塗装等の表面処理が施されたものとしてもよい。この場合は、各単板６，８の地色を阻害しないような微着色塗装を施したり、透明または半透明のトップコート層（保護層）を設けたりしてもよい。
【００２４】
本実施形態に係る板状建材１は、上述のような構成としたことで、省資源化を図りながらも、無垢感を向上させることができる。
つまり、基材４に複数の単板６，８を積層し、その表面１０側に、最裏層の単板６に達する溝５を設けた構成としている。従って、省資源化を図り、また、溝底における基材４の露出を抑制可能でありながらも、溝深さを深くすることができる。また、複数の単板６，８を積層した構成としているので、表層側の干割れを抑制することができ、また、板状建材１の反り等の変形を抑制することができる。
また、裏層側の単板６を表層側の単板８よりも濃色としている。従って、溝５の溝底側が濃色となって暗く奥まったような外観を呈して溝を深く見せることができ、溝５の部位において無垢材を突き合わせたような外観を呈し、無垢感を向上させることができる。また、例えば、着色塗装によって溝底側を溝開口側よりも濃色とすることも考えられるが、このようなものと比べて、自然感を向上させることができる。
【００２５】
また、本実施形態では、複数の単板６，８を、それぞれ異なる樹種とし、上述のように、裏層側の単板６を、表層側の単板８よりも濃色な樹種としている。これにより、例えば、熱着色等によって裏層側の単板６を濃色にしたようなものと比べて、裏層側の単板６を容易に濃色なものとすることができる。また、異なる樹種としているので、伸縮性等が異なり、表層側の干割れや、板状建材１の反り等の変形を、より効果的に抑制することができる。
なお、このような態様に代えて、または加えて、裏層側の単板６を、表層側の単板８よりも濃色となるように、例えば、蒸気釜内において高圧水蒸気による加熱処理を施して熱着色されたものから形成されたもの等としてもよい。その他、適宜の態様によって、裏層側の単板６が表層側の単板８よりも濃色とされたものとしてもよい。
【００２６】
また、本実施形態では、溝５を、表層側の単板８が露出する部位（溝開口側部位）の両溝側壁９，９のなす角θ２よりも、裏層側の単板６が露出する部位（溝底側部位）の両溝側壁７，７のなす角θ１が小さくなるように設けている。従って、上記のように裏層側の単板６を濃色のものとしたことと相俟って、溝５が溝底側に向かうに従い先細り状となってより暗く奥まったような外観を呈して溝５をより深く見せることができ、無垢感をより向上させることができる。
また、溝５の両溝側壁における、表層側の単板８が露出する部位と裏層側の単板６が露出する部位とで傾斜面の角度が変えられることとなるので、稜線がこれら単板６，８の境界に位置することとなる。これにより、例えば、両溝側壁の稜線と単板の境界とが異なる箇所に位置するようなものと比べて、見栄えを向上させることができる。
なお、このような態様に代えて、溝開口側部位の両溝側壁９，９のなす角θ２と溝底側部位の両溝側壁７，７のなす角θ１とを同じ角度としたり、溝５の両溝側壁を、一連状に凸湾曲面形状等とされたものとしたりしてもよい。また、この場合、溝５を、溝長手方向に見て、Ｕ字溝形状やコ字溝形状等としてもよい。このような態様としても、上述のように溝底側が濃色であるので、省資源化を図りながらも、無垢感を向上させることはできる。
【００２７】
また、本実施形態では、裏層側の単板６の厚さ寸法Ｔ１を、表層側の単板８の厚さ寸法Ｔ２よりも大きい寸法としている。従って、溝５の両溝側壁における裏層側の単板６の露出部位を効果的に大きくすることができ、無垢感をより向上させることができる。なお、このような態様に代えて、裏層側の単板６の厚さ寸法Ｔ１と表層側の単板８の厚さ寸法Ｔ２とを同寸法としたり、裏層側の単板６の厚さ寸法Ｔ１を、表層側の単板８の厚さ寸法Ｔ２よりも小さい寸法としたりしてもよい。
【００２８】
また、本実施形態では、裏層側の単板６を表層側の単板８よりも濃色としているが、これらを同系色（同樹種）とし、溝５を、表層側の単板８が露出する部位の両溝側壁９，９のなす角θ２よりも、裏層側の単板６が露出する部位の両溝側壁７，７のなす角θ１が小さくなるように設けた構成としてもよい。このような態様としても、上記と概ね同様、省資源化を図りながらも、無垢感を向上させることはできる。
また、本実施形態では、基材４に、二層の単板６，８を積層した構成とした例を示しているが、このような態様に限られず、基材４に、三層以上の単板を積層した構成としてもよい。この場合において、裏層側の単板を表層側の単板よりも濃色とする場合には、各単板を裏層側に向かうに従い段階的に濃色となるようにしてもよい。また、溝５の各単板の露出部位における両溝側壁のなす角を異ならせる場合には、各単板の露出部位における両溝側壁のなす角を裏層側に向かうに従いなす角が小さくなるようにしてもよい。
また、本実施形態では、板状建材１を、床材として用いられるものとした例を示しているが、このような態様に限られず、壁材や天井材、家具材等として用いられるものとしてもよい。
【符号の説明】
【００２９】
１      板状建材
４      基材
５      溝
６      裏層側の単板（最裏層の単板）
７      溝底側部位の溝側壁（裏層側の単板が露出する部位の溝側壁）
８      表層側の単板
９      溝開口側部位の溝側壁（表層側の単板が露出する部位の溝側壁）
１０    表面
θ１    溝底側部位の両溝側壁のなす角
θ２    溝開口側部位の両溝側壁のなす角
Ｔ１    裏層側の単板の厚さ寸法
Ｔ２    表層側の単板の厚さ寸法
【図１】
2015150735.tif 000003